(57)【要約】  送風機は遠心ファン（１８）とケース（１２）とを備える。その遠心ファンは、軸方向の一方側に一端（１８１ａ）を有しファン軸心まわりに配置された複数枚の羽根（１８１）と、その複数枚の羽根が一端にてそれぞれ連結された環状の一方側プレート（１８２）とを有する。ケースは、一方側プレートに対する軸方向の一方側に配置された一方側ケース部（２２１）を有する。その一方側ケース部は、一方側プレートに対し空隙を空けて対向するプレート対向面（２２１ｂ）と、径方向で一方側プレートよりも内側に形成されプレート対向面から延設された内側延設面（２２１ｃ）とを有する。ファン軸心を含む軸方向断面において、その内側延設面は、径方向の内側ほど軸方向の一方側とは反対側の他方側に位置するように凹状に曲がって形成され、軸方向に沿った向きになる接線（Ｌ１ｔ）を有する接線軸方向部位（２２１ｄ）を含む。
2018020894.tif 000002
【特許請求の範囲】
【請求項１】
遠心送風機であって、
ファン軸心（ＣＬ）まわりに回転することにより、該ファン軸心の軸方向（ＤＲａ）の一方側から吸い込んだ空気を該ファン軸心の径方向（ＤＲｒ）の外側へ吹き出す遠心ファン（１８）と、
該遠心ファンを収容すると共に、該遠心ファンに対する前記軸方向の前記一方側に配置され該遠心ファンが吸い込む空気が通過する吸入口（２２１ａ）が形成されたケース（１２）とを備え、
前記遠心ファンは、前記軸方向の前記一方側に一端（１８１ａ）を有し前記ファン軸心まわりに配置された複数枚の羽根（１８１）と、該複数枚の羽根が前記一端にてそれぞれ連結された環状の一方側プレート（１８２）とを有し、
前記ケースは、前記一方側プレートに対する前記軸方向の前記一方側に配置された一方側ケース部（２２１）を有し、
該一方側ケース部は、前記一方側プレートに対し空隙を空けて対向するプレート対向面（２２１ｂ）と、前記径方向で前記一方側プレートよりも内側に形成され前記プレート対向面から延設された内側延設面（２２１ｃ）とを有し、
前記ファン軸心を含む軸方向断面において、前記内側延設面は、前記径方向の内側ほど前記軸方向の前記一方側とは反対側の他方側に位置するように凹状に曲がって形成され、前記軸方向に沿った向きになる接線（Ｌ１ｔ）を有する接線軸方向部位（２２１ｄ）を含む遠心送風機。
【請求項２】
前記接線は第１の接線であり、
前記一方側ケース部は、前記内側延設面の前記接線軸方向部位から前記軸方向の前記他方側へ延設された他方側延設面（２２１ｎ）を含み、
前記他方側延設面は、前記軸方向断面において、前記軸方向の前記他方側ほど前記径方向の外側に位置するように前記軸方向に対して傾く第２の接線を有する部位を含む請求項１に記載の遠心送風機。
【請求項３】
前記内側延設面は前記一方側プレートとの間に内側空隙（１２ｂ）を形成し、該内側空隙は前記複数枚の羽根に対し空気流れ上流側にて開口し、
前記内側空隙の開口面積（Ａｃ）は、前記遠心ファンが予め定められたファン作動条件で回転する場合に前記内側空隙から流出する空気の速度が、前記吸入口から前記ケース内へ流入する空気の速度に揃うように設定されている請求項１または２に記載の遠心送風機。
【請求項４】
遠心送風機であって、
ファン軸心（ＣＬ）まわりに回転することにより、該ファン軸心の軸方向（ＤＲａ）の一方側から吸い込んだ空気を該ファン軸心の径方向（ＤＲｒ）の外側へ吹き出す遠心ファン（１８）と、
該遠心ファンを収容すると共に、該遠心ファンに対する前記軸方向の前記一方側に配置され該遠心ファンが吸い込む空気が通過する吸入口（２２１ａ）が形成されたケース（１２）とを備え、
前記遠心ファンは、前記軸方向の前記一方側に一端（１８１ａ）を有し前記ファン軸心まわりに配置された複数枚の羽根（１８１）と、該複数枚の羽根が前記一端にてそれぞれ連結された環状の一方側プレート（１８２）とを有し、
前記ケースは、前記一方側プレートに対する前記軸方向の前記一方側に配置された一方側ケース部（２２１）を有し、
該一方側ケース部は、前記一方側プレートに対し空隙を空けて対向するプレート対向面（２２１ｂ）を有し、
該プレート対向面は、前記ファン軸心の周方向（ＤＲｃ）へ互いに隣接して配置された第１対抗部位（２２１ｈ）と第２対抗部位（２２１ｉ）とを含み、
前記第１対抗部位は、前記第２対抗部位に比して前記一方側プレートから離れている遠心送風機。
【請求項５】
前記プレート対向面には溝（２２１ｆ）が形成され、
前記第１対抗部位は前記溝の底部（２２１ｇ）を形成している請求項４に記載の遠心送風機。
【請求項６】
前記溝は前記径方向に延びている請求項５に記載の遠心送風機。
【請求項７】
前記プレート対向面には突起（２２１ｊ）が形成され、
前記第２対抗部位は前記突起の頂部（２２１ｋ）を形成している請求項４に記載の遠心送風機。
【請求項８】
前記突起は前記径方向に延びている請求項７に記載の遠心送風機。
【請求項９】
遠心送風機であって、
ファン軸心（ＣＬ）まわりに回転することにより、該ファン軸心の軸方向（ＤＲａ）の一方側から吸い込んだ空気を該ファン軸心の径方向（ＤＲｒ）の外側へ吹き出す遠心ファン（１８）と、
該遠心ファンを収容すると共に、該遠心ファンに対する前記軸方向の前記一方側に配置され該遠心ファンが吸い込む空気が通過する吸入口（２２１ａ）が形成されたケース（１２）とを備え、
前記遠心ファンは、前記軸方向の前記一方側に一端（１８１ａ）を有し前記ファン軸心まわりに配置された複数枚の羽根（１８１）と、該複数枚の羽根が前記一端にてそれぞれ連結された環状の一方側プレート（１８２）とを有し、
前記ケースは、前記一方側プレートに対する前記軸方向の前記一方側に配置された一方側ケース部（２２１）を有し、
該一方側ケース部は、前記一方側プレートに対し空隙を空けて対向するプレート対向面（２２１ｂ）を有し、
該プレート対向面には、前記一方側ケース部を貫通する貫通孔（２２１ｍ）が形成されている遠心送風機。
【発明の詳細な説明】
【関連出願への相互参照】
【０００１】
本出願は、２０１６年７月２５日に出願された日本特許出願番号２０１６−１４５３７９号に基づくもので、ここにその記載内容が参照により組み入れられる。
【技術分野】
【０００２】
本開示は、空気を流す遠心送風機に関するものである。
【背景技術】
【０００３】
この種の遠心送風機として、例えば特許文献１に記載された遠心送風機が従来から知られている。この特許文献１に記載された遠心送風機は、遠心ファンと、その遠心ファンを収容すると共に空気の吸入口が形成されたケースとを備えている。【０００４】
遠心ファンは、吸入口側に配置される上面側プレートを有し、その上面側プレートには、円環状のファン側磁石が固定されている。それと共に、その上面側プレートに対向して配置されたケースの吸入側面には、円環状のケース側磁石が固定されている。更に、ファン側磁石とケース側磁石との間に円環状に形成される空間には、磁性流体が全周に亘って充填されている。【０００５】
これにより、上面側プレートとケースの吸入側面との間の空隙を逆流する空気流れが抑制され、遠心送風機の効率向上が図られている。
【先行技術文献】
【特許文献】
【０００６】
【特許文献１】特開２０１５−８１５２０号公報
【発明の概要】
【０００７】
特許文献１の遠心送風機では、上面側プレートとケースの吸入側面との間の空隙を逆流する空気流れは磁性流体によって抑制されているので、その磁性流体が減少することにより、その逆流は増加する。このような逆流の増加は、遠心送風機の騒音の悪化につながる。発明者らの詳細な検討の結果、以上のようなことが見出された。
【０００８】
本開示は上記点に鑑みて、遠心ファンが吹き出す空気の逆流に起因した騒音を低減することができる遠心送風機を提供することを目的とする。
【０００９】
上記目的を達成するため、本開示の１つの観点によれば、遠心送風機は、
ファン軸心まわりに回転することにより、そのファン軸心の軸方向の一方側から吸い込んだ空気をそのファン軸心の径方向の外側へ吹き出す遠心ファンと、
その遠心ファンを収容すると共に、その遠心ファンに対する軸方向の一方側に配置されその遠心ファンが吸い込む空気が通過する吸入口が形成されたケースとを備え、
遠心ファンは、軸方向の一方側に一端を有しファン軸心まわりに配置された複数枚の羽根と、その複数枚の羽根が上記一端にてそれぞれ連結された環状の一方側プレートとを有し、
ケースは、一方側プレートに対する軸方向の一方側に配置された一方側ケース部を有し、
その一方側ケース部は、一方側プレートに対し空隙を空けて対向するプレート対向面と、径方向で一方側プレートよりも内側に形成されプレート対向面から延設された内側延設面とを有し、
ファン軸心を含む軸方向断面において、内側延設面は、径方向の内側ほど軸方向の一方側とは反対側の他方側に位置するように凹状に曲がって形成され、軸方向に沿った向きになる接線を有する接線軸方向部位を含む。
【００１０】
上述のように、ファン軸心を含む軸方向断面において、内側延設面は、径方向の内側ほど軸方向の他方側に位置するように凹状に曲がって形成され、軸方向に沿った向きになる接線を有する接線軸方向部位を含む。従って、一方側ケース部と遠心ファンの一方側プレートとの間の空隙を逆流する逆流空気を内側延設面に沿わせることにより、その逆流空気がその空隙から流出する際の向きを軸方向に沿った向きに変更することが可能である。その結果、遠心ファンの吹出空気がその空隙を逆流することが生じても、その逆流空気と吸入口を通った吸込空気とが合流する際に発生する空気流れの相互干渉に起因した騒音を低減することが可能である。
【００１１】
また、本開示の別の観点によれば、遠心送風機は、
ファン軸心まわりに回転することにより、そのファン軸心の軸方向の一方側から吸い込んだ空気をそのファン軸心の径方向の外側へ吹き出す遠心ファンと、
その遠心ファンを収容すると共に、その遠心ファンに対する軸方向の一方側に配置されその遠心ファンが吸い込む空気が通過する吸入口が形成されたケースとを備え、
遠心ファンは、軸方向の一方側に一端を有しファン軸心まわりに配置された複数枚の羽根と、その複数枚の羽根が上記一端にてそれぞれ連結された環状の一方側プレートとを有し、
ケースは、一方側プレートに対する軸方向の一方側に配置された一方側ケース部を有し、
その一方側ケース部は、一方側プレートに対し空隙を空けて対向するプレート対向面を有し、
そのプレート対向面は、ファン軸心の周方向へ互いに隣接して配置された第１対抗部位と第２対抗部位とを含み、
第１対抗部位は、第２対抗部位に比して一方側プレートから離れている。
【００１２】
上述のように、プレート対向面は、ファン軸心の周方向へ互いに隣接して配置された第１対抗部位と第２対抗部位とを含み、その第１対抗部位は、第２対抗部位に比して一方側プレートから離れている。ここで、一方側ケース部と遠心ファンの一方側プレートとの間の空隙を逆流する逆流空気は、回転する遠心ファンが吹き出した空気であるので、周方向の速度成分を有している。従って、第１対抗部位と第２対抗部位との高低差によってその逆流空気の流れが乱されやすい。そのため、遠心ファンの羽根の空気流れ上流側に流出する逆流空気の流量すなわち逆流流量を減少させることが可能である。その結果、その逆流空気と吸入口を通った吸込空気とが合流する際に発生する空気流れの相互干渉に起因した騒音を低減することが可能である。
【００１３】
また、本開示の更に別の観点によれば、遠心送風機は、
ファン軸心まわりに回転することにより、そのファン軸心の軸方向の一方側から吸い込んだ空気をそのファン軸心の径方向の外側へ吹き出す遠心ファンと、
その遠心ファンを収容すると共に、その遠心ファンに対する軸方向の一方側に配置されその遠心ファンが吸い込む空気が通過する吸入口が形成されたケースとを備え、
遠心ファンは、軸方向の一方側に一端を有しファン軸心まわりに配置された複数枚の羽根と、その複数枚の羽根が上記一端にてそれぞれ連結された環状の一方側プレートとを有し、
ケースは、一方側プレートに対する軸方向の一方側に配置された一方側ケース部を有し、
その一方側ケース部は、一方側プレートに対し空隙を空けて対向するプレート対向面を有し、
そのプレート対向面には、一方側ケース部を貫通する貫通孔が形成されている。
【００１４】
上述のように、プレート対向面には、一方側ケース部を貫通する貫通孔が形成されている。ここで、一方側ケース部と遠心ファンの一方側プレートとの間の空隙を空気が逆流する場合、その逆流空気の静圧は、その空隙から一方側ケース部を隔てた送風機外部の気圧と比較して高い。そのため、その逆流空気の静圧と送風機外部の気圧との差圧から、その逆流空気は一方側ケース部の貫通孔を介して送風機外部へと流出する。その結果、遠心ファンの羽根の空気流れ上流側に流出する逆流空気の逆流流量を減少させることが可能である。そして、その逆流空気と吸入口を通った吸込空気とが合流する際に発生する空気流れの相互干渉に起因した騒音を低減することが可能である。
【図面の簡単な説明】
【００１５】
【図１】第１実施形態の送風機の概略構成を示した図であって、ファン軸心を含む平面である軸方向断面において送風機を表した断面図である。
【図２】図１のII部を拡大図示した詳細図である。
【図３】上記軸方向断面において第２実施形態の送風機を表した断面図であって、第１実施形態の図１に相当する図である。
【図４】第２実施形態の送風機が有するケース単体を表した図であって、図３のIV−IV断面を示した断面図である。
【図５】上記軸方向断面において第３実施形態の送風機を表した断面図であって、第１実施形態の図１に相当する図である。
【図６】第３実施形態の送風機が有するケース単体を表した図であって、図５のVI−VI断面を示した断面図である。
【図７】上記軸方向断面において第４実施形態の送風機を表した断面図であって、第１実施形態の図１に相当する図である。
【図８】第４実施形態の送風機が有するケース単体を表した図であって、図７のVIII−VIII断面を示した断面図である。
【図９】第５実施形態において図１のII部に相当する部分を拡大図示した詳細図であって、第１実施形態の図２に相当する図である。
【図１０】第４実施形態の変形例を示した図であって、第４実施形態の図８に相当する図である。
【発明を実施するための形態】
【００１６】
以下、図面を参照しながら、本開示の実施形態を説明する。なお、以下の各実施形態相互において、互いに同一もしくは均等である部分には、図中、同一符号を付してある。
【００１７】
（第１実施形態）
図１は、ファン軸心ＣＬを含む平面である軸方向断面において送風機１０を表した断面図である。図１の矢印ＤＲａは、ファン軸心ＣＬの軸方向すなわちファン軸方向ＤＲａを示している。図１に示すように、送風機１０は、空気を流す遠心式送風機である。この送風機１０は、例えばシート空調用送風機として用いられ、車両用シートのクッション内へ送風する。送風機１０は、その送風機１０の筐体であるケース１２、遠心ファン１８、および、遠心ファン１８を回転させる不図示の電動モータ等を備えている。
【００１８】
ケース１２は遠心ファン１８および電動モータを収容しており、そのケース１２には、遠心ファン１８が吸い込む空気が通過する吸入口２２１ａが形成されている。ケース１２は、第１ケース部材２２と第２ケース部材２４とから構成されている。この第１ケース部材２２と第２ケース部材２４はビス止め等により一体的に連結されている。
【００１９】
第１ケース部材２２は、遠心ファン１８の外径よりもファン軸心ＣＬの径方向ＤＲｒの外側にまで拡がるように形成されている。第１ケース部材２２は、一方側ケース部２２１と一方側周縁部２２２とから構成されている。なお、ファン軸心ＣＬの径方向ＤＲｒをファン径方向ＤＲｒとも呼ぶ。
【００２０】
一方側ケース部２２１は、遠心ファン１８に対するファン軸方向ＤＲａの一方側にてその遠心ファン１８を覆っている。ここで、遠心ファン１８を覆うこととは、少なくとも遠心ファン１８の一部分を覆うことである。
【００２１】
上記のように吸入口２２１ａはケース１２に設けられているが、詳細にはケース１２のうち一方側ケース部２２１に設けられている。すなわち、一方側ケース部２２１の内周側には、一方側ケース部２２１をファン軸方向ＤＲａに貫通した吸入口２２１ａが形成されている。そして、一方側ケース部２２１は、吸入口２２１ａを環状に取り巻くように形成する吸入口縁部２２１ｅを有している。
【００２２】
ケース１２の吸入口２２１ａは、このように一方側ケース部２２１に設けられているので、遠心ファン１８に対するファン軸方向ＤＲａの一方側に配置されている。そして、送風機１０外の空気は、送風機１０外から、この吸入口２２１ａを介して遠心ファン１８へ吸い込まれる。
【００２３】
また、一方側周縁部２２２は、ファン軸心ＣＬまわりにおいて第１ケース部材２２の周縁を構成している。
【００２４】
第２ケース部材２４も、第１ケース部材２２と同様に、遠心ファン１８の外径よりもファン径方向ＤＲｒの外側にまで拡がるように形成されている。第２ケース部材２４は、他方側ケース部２４１と他方側周縁部２４２とから構成されている。
【００２５】
他方側ケース部２４１は、遠心ファン１８に対するファン軸方向ＤＲａの他方側すなわち一方側ケース部２２１側とは反対側にて、その遠心ファン１８を覆っている。また、他方側周縁部２４２は、ファン軸心ＣＬまわりにおいて第２ケース部材２４の周縁を構成している。
【００２６】
一方側周縁部２２２および他方側周縁部２４２は、ケース１２において空気を吹き出す空気吹出部を構成しており、その空気吹出部は、遠心ファン１８に対しファン径方向ＤＲｒの外側に配置されている。そして、一方側周縁部２２２および他方側周縁部２４２は、ファン軸方向ＤＲａにおける一方側周縁部２２２と他方側周縁部２４２との間に、遠心ファン１８から吹き出た空気をケース１２外へ吹き出す空気吹出口１２ａを形成している。
【００２７】
その空気吹出口１２ａは、詳細に言えば、送風機１０のファン側面に形成されている。そして、空気吹出口１２ａは、第１ケース部材２２と第２ケース部材２４との連結部位を除き、ファン軸心ＣＬを中心としたケース１２の略全周にわたって開口している。
【００２８】
遠心ファン１８は、遠心式送風機の羽根車であり、詳細に言えばターボファンである。遠心ファン１８は、複数枚の羽根１８１と、環状の一方側プレート１８２と、他方側プレートとしての主板１８３とを備えている。これらの羽根１８１と一方側プレート１８２と主板１８３は互いに、一体的に固定されている。
【００２９】
複数枚の羽根１８１は、ファン軸心ＣＬまわりに相互間隔を空けて配置されている。また、羽根１８１はそれぞれ、ファン軸方向ＤＲａの一方側に一端１８１ａを有すると共に、ファン軸方向ＤＲａの他方側に他端１８１ｂを有している。
【００３０】
一方側プレート１８２には、複数枚の羽根１８１がその羽根１８１の一端１８１ａにてそれぞれ連結されている。従って、一方側ケース部２２１は、一方側プレート１８２に対するファン軸方向ＤＲａの一方側に配置されており、その一方側プレート１８２との間に空隙すなわち軸方向隙間を形成している。
【００３１】
主板１８３には、複数枚の羽根１８１がその羽根１８１の他端１８１ｂにてそれぞれ連結されている。すなわち、主板１８３は、一方側プレート１８２に対し複数枚の羽根１８１の各々を介して連結されている。また、主板１８３には、遠心ファン１８を回転させる不図示の電動モータが連結されている。
【００３２】
遠心ファン１８は、電動モータによってファン軸心ＣＬまわりに回転させられる。そして、遠心ファン１８は、ファン軸心ＣＬまわりに回転することにより、ファン軸方向ＤＲａの一方側から吸入口２２１ａを介して空気を吸い込むと共に、その吸い込んだ空気をファン径方向ＤＲｒの外側へ吹き出す。
【００３３】
また、一方側プレート１８２の内周側には空気流通孔１８２ａが形成されている。その空気流通孔１８２ａには、ケース１２の吸入口２２１ａから流入した空気が流れ込み、その空気流通孔１８２ａを通った空気は複数枚の羽根１８１の相互間へと流れる。
【００３４】
図１および図２に示すように、一方側ケース部２２１は、プレート対向面２２１ｂと内側延設面２２１ｃとを有している。そのプレート対向面２２１ｂはファン軸方向ＤＲａの他方側を向いて形成されている。詳細には、プレート対向面２２１ｂは、遠心ファン１８の一方側プレート１８２に対し空隙を空けて対向している。
【００３５】
一方側ケース部２２１の内側延設面２２１ｃは、プレート対向面２２１ｂからファン径方向ＤＲｒの内側へ延設された面である。そして、内側延設面２２１ｃは、ファン径方向ＤＲｒで遠心ファン１８の一方側プレート１８２よりも内側に形成されている。
【００３６】
ファン軸心ＣＬを含む軸方向断面（すなわち、図２の断面）において、内側延設面２２１ｃは、ファン径方向ＤＲｒの内側ほどファン軸方向ＤＲａの他方側に位置するように凹状に曲がって形成されている。具体的には内側延設面２２１ｃは、滑らかに凹状に湾曲している。そして、その軸方向断面において、内側延設面２２１ｃは、接線Ｌ１ｔがファン軸方向ＤＲａに沿った向きになる接線軸方向部位２２１ｄを含んでいる。すなわち、その接線軸方向部位２２１ｄは、第１の接線としての接線Ｌ１ｔを有する部位であり、接線軸方向部位２２１ｄで内側延設面２２１ｃに接する接線Ｌ１ｔはファン軸方向ＤＲａに沿った向きになる。この接線軸方向部位２２１ｄは、内側延設面２２１ｃのうち、内側延設面２２１ｃに沿ったファン径方向ＤＲｒの沿面距離においてプレート対向面２２１ｂから離れた側の端部を構成している。
【００３７】
また、一方側ケース部２２１の内側延設面２２１ｃは、遠心ファン１８に接触しないように、その遠心ファン１８の一方側プレート１８２との間に内側空隙１２ｂを形成している。その内側空隙１２ｂは、遠心ファン１８が吸入口２２１ａから吸い込む空気の流れにおいて、複数枚の羽根１８１に対し空気流れ上流側にて開口している。
【００３８】
そして、内側空隙１２ｂの開口面積Ａｃは、遠心ファン１８が予め定められたファン作動条件で回転する場合に内側空隙１２ｂから流出する空気の速度（すなわち、空隙流出風速）が、吸入口２２１ａからケース１２内へ流入する空気の速度（すなわち、吸入風速）に揃うように設定されている。それらの空気の速度は例えば遠心ファン１８の空気流通孔１８２ａにおける速度であり、その場合、矢印Ｆ２ｃのように内側空隙１２ｂから流れる空気の速度が、矢印Ｆ２ｈのように吸入口２２１ａから流れる空気の速度に揃う。更に、それらの空気の速度は、互いに合流する空気の速度であるので、開口面積Ａｃの設定の基になる吸入風速とは、厳密に言えば、矢印Ｆ２ｈのように吸入口縁部２２１ｅに沿って流れる空気の速度である。
【００３９】
ここで、上記ファン作動条件とは、遠心ファン１８の回転速度等を含み送風機１０の使用条件や用途に応じて決定されるものであり、送風機１０がオンにされると、遠心ファン１８はそのファン作動条件で回転する。そして、そのファン作動条件が定まっていれば、矢印Ｆ１ｈ、Ｆ２ｈのように吸入口２２１ａを通過する空気の吸込流量を予め求めることが可能である。また、遠心ファン１８が回転すると、一方側プレート１８２と一方側ケース部２２１との間を矢印Ｆ１ｃ、Ｆ２ｃのように空気が逆流してしまうが、その空気の逆流流量も予め求めることが可能である。更に、吸入口２２１ａの開口面積Ａｈは、予め定まっている。従って、遠心ファン１８が上記ファン作動条件で回転する場合に空隙流出風速が吸入風速に揃うように、空気の吸込流量と空気の逆流流量と吸入口２２１ａの開口面積Ａｈとに基づいて内側空隙１２ｂの開口面積Ａｃを決定することは可能である。
【００４０】
なお、図２において、矢印Ｆ１ｈ、Ｆ２ｈは、吸入口２２１ａを通過して遠心ファン１８へ吸い込まれる空気の主流を表している。また、矢印Ｆ１ｃ、Ｆ２ｃは、一方側プレート１８２と一方側ケース部２２１との間を逆流して遠心ファン１８へ吸い込まれる空気の主流を表している。
【００４１】
また、上記空隙流出風速が吸入風速に揃うことには、空隙流出風速が吸入風速に一致することだけでなく、空隙流出風速と吸入風速との差異に起因した騒音を低減する観点から空隙流出風速が吸入風速と同程度とみなせる場合も含まれる。そして、その空隙流出風速（例えば矢印Ｆ２ｃの流速）が吸入風速（例えば矢印Ｆ２ｈの流速）と同程度とみなせる場合とは例えば、「空隙流出風速／吸入風速」の速度比率が０．８〜１．２である場合を言う。
【００４２】
上述したように、本実施形態によれば図２に示すように、ファン軸心ＣＬを含む軸方向断面において、一方側ケース部２２１の内側延設面２２１ｃは、ファン径方向ＤＲｒの内側ほどファン軸方向ＤＲａの他方側に位置するように凹状に曲がって形成されている。そして、その軸方向断面において、内側延設面２２１ｃは、接線Ｌ１ｔがファン軸方向ＤＲａに沿った向きになる接線軸方向部位２２１ｄを含んでいる。従って、一方側ケース部２２１と遠心ファン１８の一方側プレート１８２との間の空隙を逆流する逆流空気を内側延設面２２１ｃに沿わせることにより、その逆流空気がその空隙から流出する際の向きをファン軸方向ＤＲａに沿った向きに変更することが可能である。その結果、遠心ファン１８の吹出空気がその空隙を逆流することが生じても、その逆流空気と吸入口２２１ａを通った吸込空気とが合流する際に発生する空気流れの相互干渉に起因した騒音を低減することが可能である。
【００４３】
詳細に説明すると、遠心ファン１８の複数枚の羽根１８１がファン軸心ＣＬまわりに回転すると、その羽根１８１によって空気が昇圧されるので、羽根１８１に対するファン径方向ＤＲｒの内側が低圧で且つ羽根１８１に対するファン径方向ＤＲｒの外側が高圧になるといった空気の差圧が発生する。そのため、一方側ケース部２２１と遠心ファン１８の一方側プレート１８２との間の空隙にある空気が矢印Ｆ１ｃ、Ｆ２ｃのように一方側プレート１８２よりもファン径方向ＤＲｒの内側へと逆流する。
【００４４】
その結果、吸入口２２１ａを通過して羽根１８１の相互間に吸い込まれる吸込空気は、羽根１８１の相互間に吸い込まれる前に、その逆流する逆流空気と合流することになる。このとき、その合流による空気流れの乱れが大きくなるほど、その空気流れの合流に起因した騒音は大きくなる。
【００４５】
これに対し、本実施形態では、逆流空気が一方側ケース部２２１と遠心ファン１８の一方側プレート１８２との間の空隙から流出する際の向きは、内側延設面２２１ｃによってファン軸方向ＤＲａに沿った向きになる。例えば、その逆流空気が空隙から流出する際の向きは、吸入口２２１ａを通過した吸込空気の向きに対し平行になる。或いは、それらの空気流れの向きが互いに平行にならなくても、それらの空気流れの交差角度は鋭角になる。
【００４６】
従って、逆流空気と吸込空気とが合流する際に発生する空気流れの乱れを抑制し、その合流に起因した騒音を低減することができる。
【００４７】
また、本実施形態によれば図２に示すように、内側空隙１２ｂの開口面積Ａｃは、遠心ファン１８が予め定められたファン作動条件で回転する場合に内側空隙１２ｂから流出する空気の速度が、吸入口２２１ａからケース１２内へ流入する空気の速度に揃うように設定されている。従って、内側空隙１２ｂから流出する逆流空気と吸入口２２１ａからケース１２内へ流入する吸込空気との間の速度差に起因してそれらの空気流れの合流の際に生じる空気流れの乱れを抑制することが可能である。そのため、その逆流空気の空気流れと吸込空気の空気流れとの合流に起因した騒音を低減することができる。
【００４８】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の第３実施形態以降でも同様である。
【００４９】
図３および図４に示すように、プレート対向面２２１ｂには複数の凹部２２１ｆすなわち溝２２１ｆが形成されている。この点において本実施形態は第１実施形態と異なっている。なお、図４は、図３のIV−IVを示した断面図であるが、図４では、遠心ファン１８の図示が省略されている。このことは、後述の図６、８、１０でも同様である。
【００５０】
具体的に、この複数の溝２２１ｆは、ファン軸心ＣＬの周方向ＤＲｃすなわちファン周方向ＤＲｃに間隔を空けて並んで配置されている。また、溝２２１ｆはそれぞれ、ファン径方向ＤＲｒに延びるように形成されている。更に、溝２２１ｆはそれぞれ、ファン径方向ＤＲｒの外側ほど遠心ファン１８の回転方向ＤＲｆ（すなわち、ファン回転方向ＤＲｆ）へずれるように形成されている。言い換えれば、ファン径方向ＤＲｒにおける溝２２１ｆの外側は溝２２１ｆの内側に対しファン回転方向ＤＲｆで進角側に位置している。
【００５１】
また、遠心ファン１８の一方側プレート１８２に対する溝２２１ｆの底部２２１ｇとその溝２２１ｆの周囲との位置関係ついて見れば、次のようなことが言える。すなわち、プレート対向面２２１ｂは、第１対抗部位２２１ｈと、その第１対抗部位２２１ｈに対しファン周方向ＤＲｃへ隣接して配置された第２対抗部位２２１ｉとを含んでいる。そして、その第１対抗部位２２１ｈは溝２２１ｆの底部２２１ｇを形成している。それと共に、第２対抗部位２２１ｉは、プレート対向面２２１ｂのうちその溝２２１ｆに対しファン周方向ＤＲｃに隣接する部位を形成している。更に、その第１対抗部位２２１ｈは、第２対抗部位２２１ｉに比して遠心ファン１８の一方側プレート１８２から離れている。詳細に言えば、第１対抗部位２２１ｈは、ファン軸方向ＤＲａで、第２対抗部位２２１ｉに比して遠心ファン１８の一方側プレート１８２から離れている。
【００５２】
上述したように、本実施形態によれば図４に示すように、ケース１２のプレート対向面２２１ｂは、ファン周方向ＤＲｃへ互いに隣接して配置された第１対抗部位２２１ｈと第２対抗部位２２１ｉとを含んでいる。そして、その第１対抗部位２２１ｈは、第２対抗部位２２１ｉに比して遠心ファン１８の一方側プレート１８２から離れている。ここで、一方側ケース部２２１と一方側プレート１８２との間の空隙を逆流する逆流空気は、回転する遠心ファン１８が吹き出した空気であるので、矢印Ｆ３ｃのように、ファン周方向ＤＲｃの一方側であるファン径方向ＤＲｒの速度成分を有している。
【００５３】
従って、プレート対向面２２１ｂにおける第１対抗部位２２１ｈと第２対抗部位２２１ｉとの高低差（すなわち、凸凹）によってその逆流空気の流れが乱されやすい。詳細に言えば、その逆流空気が遠心ファン１８の回転によってせん断力を受けるので、その第１対抗部位２２１ｈと第２対抗部位２２１ｉとの高低差によって、逆流空気に対する流路抵抗を増加させることができる。その結果として、内側空隙１２ｂから遠心ファン１８の羽根１８１の空気流れ上流側に流出する逆流空気の流量すなわち逆流流量を減少させることが可能である。これにより、その逆流空気と吸入口２２１ａを通った吸込空気とが合流する際に発生する空気流れの相互干渉に起因した騒音を低減することが可能である。
【００５４】
また、本実施形態によれば、プレート対向面２２１ｂには溝２２１ｆが形成され、第１対抗部位２２１ｈはその溝２２１ｆの底部２２１ｇを形成している。従って、遠心ファン１８の一方側プレート１８２からの間隔が相互に異なる第１対抗部位２２１ｈと第２対抗部位２２１ｉとを、プレート対向面２２１ｂに溝２２１ｆという簡単な形状を施すことで設けることが可能である。
【００５５】
また、本実施形態によれば、溝２２１ｆはファン径方向ＤＲｒに延びている。従って、ファン周方向ＤＲｃの速度成分を有する逆流空気の流れに対し効果的に流路抵抗を生じさせることが可能である。
【００５６】
また、本実施形態では、前述の第１実施形態と共通の構成から奏される効果を第１実施形態と同様に得ることができる。
【００５７】
（第３実施形態）
次に、第３実施形態について説明する。本実施形態では、前述の第１実施形態と異なる点を主として説明する。
【００５８】
図５および図６に示すように、プレート対向面２２１ｂには複数の突起２２１ｊが形成されている。この点において本実施形態は第１実施形態と異なっている。
【００５９】
具体的に、この複数の突起２２１ｊは、ファン周方向ＤＲｃに間隔を空けて並んで配置されている。また、突起２２１ｊはそれぞれ、ファン径方向ＤＲｒに延びるように形成されている。更に、突起２２１ｊはそれぞれ、ファン径方向ＤＲｒの外側ほどファン回転方向ＤＲｆへずれるように形成されている。言い換えれば、ファン径方向ＤＲｒにおける突起２２１ｊの外側は突起２２１ｊの内側に対しファン回転方向ＤＲｆで進角側に位置している。
【００６０】
また、本実施形態では第２実施形態と同様に、プレート対向面２２１ｂは、第１対抗部位２２１ｈと第２対抗部位２２１ｉとを含んでいる。ここで、第１対抗部位２２１ｈは、上述したように、第２対抗部位２２１ｉに比して遠心ファン１８の一方側プレート１８２から離れている部位である。従って、第２対抗部位２２１ｉは突起２２１ｊの頂部２２１ｋを形成している。そして、第１対抗部位２２１ｈは、プレート対向面２２１ｂのうちその突起２２１ｊに対しファン周方向ＤＲｃに隣接する部位を形成している。
【００６１】
上述したように、本実施形態によれば図６に示すように、プレート対向面２２１ｂには突起２２１ｊが形成され、第２対抗部位２２１ｉはその突起２２１ｊの頂部２２１ｋを形成している。従って、遠心ファン１８の一方側プレート１８２からの間隔が相互に異なる第１対抗部位２２１ｈと第２対抗部位２２１ｉとを、プレート対向面２２１ｂに突起２２１ｊという簡単な形状を施すことで設けることが可能である。
【００６２】
また、本実施形態によれば、突起２２１ｊはファン径方向ＤＲｒに延びている。従って、ファン周方向ＤＲｃの速度成分を有する逆流空気の流れに対し効果的に流路抵抗を生じさせることが可能である。
【００６３】
また、本実施形態では、前述の第１実施形態と共通の構成から奏される効果を第１実施形態と同様に得ることができる。また、前述の第２実施形態と共通の構成から奏される効果を第２実施形態と同様に得ることができる。
【００６４】
（第４実施形態）
次に、第４実施形態について説明する。本実施形態では、前述の第１実施形態と異なる点を主として説明する。
【００６５】
図７および図８に示すように、プレート対向面２２１ｂには、一方側ケース部２２１を貫通する複数の貫通孔２２１ｍが形成されている。言い換えれば、一方側ケース部２２１は、その貫通孔２２１ｍが形成された開口部を複数有している。この点において本実施形態は第１実施形態と異なっている。
【００６６】
例えば、その複数の貫通孔２２１ｍは円形孔であり、ファン周方向ＤＲｃに間隔を空けて並んで配置されている。
【００６７】
ここで、一方側ケース部２２１と遠心ファン１８の一方側プレート１８２との間の空隙を空気が逆流する場合、その逆流空気の静圧は、その空隙から一方側ケース部２２１を隔てた送風機１０外部の気圧と比較して高い。そのため、その逆流空気の静圧と送風機１０外部の気圧との差圧から、その逆流空気は一方側ケース部２２１の貫通孔２２１ｍを介して送風機１０外部へと流出する。その結果、貫通孔２２１ｍよりもファン径方向ＤＲｒの内側では逆流流量が減少する。すなわち、遠心ファン１８の羽根１８１の空気流れ上流側に流出する逆流流量を減少させることが可能である。そして、その逆流空気と吸入口２２１ａを通った吸込空気とが合流する際に発生する空気流れの相互干渉に起因した騒音を低減することが可能である。
【００６８】
なお、本実施形態は第１実施形態に基づいた変形例であるが、本実施形態を前述の第２実施形態または第３実施形態と組み合わせることも可能である。
【００６９】
（第５実施形態）
次に、第５実施形態について説明する。本実施形態では、前述の第１実施形態と異なる点を主として説明する。
【００７０】
図９に示すように、一方側ケース部２２１は、プレート対向面２２１ｂと内側延設面２２１ｃとに加え更に、他方側延設面２２１ｎを有している。この点において本実施形態は第１実施形態と異なっている。
【００７１】
具体的に、他方側延設面２２１ｎは、内側延設面２２１ｃの接線軸方向部位２２１ｄからファン軸方向ＤＲａの他方側へ延設された面である。他方側延設面２２１ｎは、内側延設面２２１ｃと連続した湾曲面を構成し、ファン径方向ＤＲｒで遠心ファン１８の一方側プレート１８２よりも内側に形成されている。
【００７２】
ファン軸心ＣＬを含む軸方向断面（すなわち、図９の断面）において、他方側延設面２２１ｎは、ファン軸方向ＤＲａの他方側ほどファン径方向ＤＲｒの外側に位置するように凹状に曲がって形成されている。具体的には、他方側延設面２２１ｎは、内側延設面２２１ｃと同様に滑らかに凹状に湾曲している。要するに、他方側延設面２２１ｎおよび内側延設面２２１ｃは全体として、ファン径方向ＤＲｒの内側へ窪んだ凹面を構成している。
【００７３】
また、その軸方向断面では、他方側延設面２２１ｎに沿ったファン軸方向ＤＲａの沿面距離において他方側延設面２２１ｎのうち接線軸方向部位２２１ｄから離れた側の端部で他方側延設面２２１ｎに接する接線を想定すると、その接線は図９の接線Ｌ２ｔになる。この接線Ｌ２ｔは、ファン軸方向ＤＲａの他方側ほどファン径方向ＤＲｒの外側に位置するように、ファン軸方向ＤＲａに対して傾いている。
【００７４】
要するに、他方側延設面２２１ｎは、その軸方向断面において、ファン軸方向ＤＲａの他方側ほどファン径方向ＤＲｒの外側に位置するようにファン軸方向ＤＲａに対して傾く第２の接線である接線Ｌ２ｔを有する部位を含んでいる。
【００７５】
更に、その軸方向断面において、ファン軸方向ＤＲａに対する他方側延設面２２１ｎの接線の傾きは、その接線に接する部位が接線軸方向部位２２１ｄからファン軸方向ＤＲａの他方側へ離れるほど大きくなる。
【００７６】
本実施形態によれば図９に示すように、一方側ケース部２２１は、内側延設面２２１ｃの接線軸方向部位２２１ｄからファン軸方向ＤＲａの他方側へ延設された他方側延設面２２１ｎを含む。そして、上記軸方向断面において、他方側延設面２２１ｎは、ファン軸方向ＤＲａの他方側ほどファン径方向ＤＲｒの外側に位置するように凹状に曲がって形成されている。従って、他方側延設面２２１ｎは、上記軸方向断面において、例えば接線Ｌ２ｔのように接線がファン軸方向ＤＲａの他方側ほどファン径方向ＤＲｒの外側に位置するようにファン軸方向ＤＲａに対して傾く部位を含んでいる。
【００７７】
そのため、この他方側延設面２２１ｎが無い場合と比較して、一方側ケース部２２１と遠心ファン１８の一方側プレート１８２との間の空隙から流出する際の逆流空気の向きをよりファン径方向ＤＲｒの外向きに近付けることが可能である。そして、その逆流空気と逆流空気に合流する吸込空気との互いの流れ方向の交差角度を小さくし、その合流による騒音を低減することが可能である。
【００７８】
なお、本実施形態は第１実施形態に基づいた変形例であるが、本実施形態を前述の第２〜４実施形態の何れかと組み合わせることも可能である。
【００７９】
（他の実施形態）
（１）上述の第２実施形態において図４に示すように、ファン径方向ＤＲｒにおける溝２２１ｆの外側は溝２２１ｆの内側に対しファン回転方向ＤＲｆで進角側に位置しているが、これは一例である。例えば、その溝２２１ｆは、ファン径方向ＤＲｒに沿って放射状に延びていても差し支えない。このようなことは、第３実施形態の突起２２１ｊについても同様である。
【００８０】
（２）上述の第２実施形態において図４に示すように、溝２２１ｆはそれぞれ、ファン径方向ＤＲｒに延びるように形成されているが、これは単なる一例であり、その溝２２１ｆはファン径方向ＤＲｒに延びている必要はなく、種々の形状を取り得る。このようなことは、第３実施形態の突起２２１ｊについても同様である。
【００８１】
また、第２実施形態において第１対抗部位２２１ｈは、溝２２１ｆの底部２２１ｇを形成しているが、溝２２１ｆに替えて溝状ではない凹部がプレート対向面２２１ｂに形成され、第１対抗部位２２１ｈはその凹部の底を形成していてもよい。
【００８２】
（３）上述の第２実施形態において図３に示すように、一方側ケース部２２１は、第１実施形態と同様の内側延設面２２１ｃを有しているが、これは一例である。例えば、一方側ケース部２２１が内側延設面２２１ｃを有していないことも想定される。このことは第３および第４実施形態でも同様である。
【００８３】
（４）上述の第５実施形態において、他方側延設面２２１ｎは、内側延設面２２１ｃと連続した湾曲面を構成しているが、これは一例である。例えば、他方側延設面２２１ｎおよび内側延設面２２１ｃは、軸方向断面（すなわち、図９の断面）において、折れ曲がりつつ連結された複数の面で構成されていても差し支えない。
【００８４】
このようにした場合、その軸方向断面における２つの面の間の折れ曲がり点でも、他方側延設面２２１ｎまたは内側延設面２２１ｃに接する接線を想定することができる。例えば、その接線は、その２つの面のうちの一方に沿う折れ曲がり点での接線方向と、２つの面のうちの他方に沿う折れ曲がり点での接線方向との間で何れの向きにもなり得る。
【００８５】
（５）上述の第４実施形態において図８に示すように、ケース１２のプレート対向面２２１ｂに形成された貫通孔２２１ｍは例えば円形孔であるが、その貫通孔２２１ｍの孔形状に限定はない。例えば図１０に示すように、貫通孔２２１ｍは楕円孔であってもよい。図１０に示す貫通孔２２１ｍは、ファン周方向ＤＲｃに拡がった楕円孔である。
【００８６】
（６）上述の第２実施形態において図４に示すように、溝２２１ｆは複数設けられているが、その溝２２１ｆの数に限定はない。このことは、第３実施形態の突起２２１ｊ、および第４実施形態の貫通孔２２１ｍについても同様である。
【００８７】
（７）上述の各実施形態において、遠心ファン１８は詳細にはターボファンであるが、それに限らず、シロッコファンまたはラジアルファンであっても差し支えない。
【００８８】
なお、本開示は、上述の実施形態に限定されることなく、様々な変形例や均等範囲内の変形をも包含する。また、上記各実施形態は、互いに無関係なものではなく、組み合わせが明らかに不可な場合を除き、適宜組み合わせが可能である。
【００８９】
また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。
【００９０】
また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００９１】
（まとめ）
上記各実施形態の一部または全部で示された第１の観点によれば、ファン軸心を含む軸方向断面において、内側延設面は、径方向の内側ほど軸方向の一方側とは反対側の他方側に位置するように凹状に曲がって形成され、軸方向に沿った向きになる接線を有する接線軸方向部位を含む。
【００９２】
また、第２の観点によれば、上記接線は第１の接線である。一方側ケース部は、内側延設面の接線軸方向部位から軸方向の他方側へ延設された他方側延設面を含む。そして、他方側延設面は、軸方向断面において、軸方向の他方側ほど径方向の外側に位置するように軸方向に対して傾く第２の接線を有する部位を含む。従って、この他方側延設面が無い場合と比較して、一方側ケース部と遠心ファンの一方側プレートとの間の空隙から流出する際の逆流空気の向きをより径方向外向きに近付けることが可能である。そのため、その逆流空気と逆流空気に合流する吸込空気との互いの流れ方向の交差角度を小さくし、その合流による騒音を低減することが可能である。
【００９３】
また、第３の観点によれば、内側延設面は一方側プレートとの間に内側空隙を形成し、その内側空隙は複数枚の羽根に対し空気流れ上流側にて開口する。そして、内側空隙の開口面積は、遠心ファンが予め定められたファン作動条件で回転する場合に内側空隙から流出する空気の速度が、吸入口からケース内へ流入する空気の速度に揃うように設定されている。従って、内側空隙から流出する空気と吸入口からケース内へ流入する空気との間の速度差に起因してそれらの空気流れの合流の際に生じる空気流れの乱れを抑制することが可能である。そのため、その空気流れの合流に起因した騒音を低減することができる。
【００９４】
また、第４の観点によれば、プレート対向面は、ファン軸心の周方向へ互いに隣接して配置された第１対抗部位と第２対抗部位とを含む。そして、その第１対抗部位は、第２対抗部位に比して一方側プレートから離れている。
【００９５】
また、第５の観点によれば、プレート対向面には溝が形成され、第１対抗部位はその溝の底部を形成している。従って、一方側プレートからの間隔が相互に異なる第１対抗部位と第２対抗部位とを、プレート対向面に溝という簡単な形状を施すことで設けることが可能である。
【００９６】
また、第６の観点によれば、溝は径方向に延びている。従って、周方向の速度成分を有する逆流空気の流れに対し効果的に流路抵抗を生じさせることが可能である。
【００９７】
また、第７の観点によれば、プレート対向面には突起が形成され、第２対抗部位はその突起の頂部を形成している。従って、一方側プレートからの間隔が相互に異なる第１対抗部位と第２対抗部位とを、プレート対向面に突起という簡単な形状を施すことで設けることが可能である。
【００９８】
また、第８の観点によれば、突起は前記径方向に延びている。従って、周方向の速度成分を有する逆流空気の流れに対し効果的に流路抵抗を生じさせることが可能である。
【００９９】
また、第９の観点によれば、プレート対向面には、一方側ケース部を貫通する貫通孔が形成されている。
【図１】
2018020894.tif 000003
【図２】
2018020894.tif 000004
【図３】
2018020894.tif 000005
【図４】
2018020894.tif 000006
【図５】
2018020894.tif 000007
【図６】
2018020894.tif 000008
【図７】
2018020894.tif 000009
【図８】
2018020894.tif 000010
【図９】
2018020894.tif 000011
【図１０】
2018020894.tif 000012
【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
遠心送風機であって、
ファン軸心（ＣＬ）まわりに回転することにより、該ファン軸心の軸方向（ＤＲａ）の一方側から吸い込んだ空気を該ファン軸心の径方向（ＤＲｒ）の外側へ吹き出す遠心ファン（１８）と、
該遠心ファンを収容すると共に、該遠心ファンに対する前記軸方向の前記一方側に配置され該遠心ファンが吸い込む空気が通過する吸入口（２２１ａ）が形成されたケース（１２）とを備え、
前記遠心ファンは、前記軸方向の前記一方側に一端（１８１ａ）を有し前記ファン軸心まわりに配置された複数枚の羽根（１８１）と、該複数枚の羽根が前記一端にてそれぞれ連結された環状の一方側プレート（１８２）とを有し、
前記ケースは、前記一方側プレートに対する前記軸方向の前記一方側に配置された一方側ケース部（２２１）を有し、
該一方側ケース部は、前記一方側プレートに対し空隙を空けて対向するプレート対向面（２２１ｂ）を有し、
該プレート対向面には、前記一方側ケース部を貫通する貫通孔（２２１ｍ）が形成されている遠心送風機。
【国際調査報告】
2018020894.tif 000013
2018020894.tif 000014
2018020894.tif 000015
2018020894.tif 000016